(57)【要約】【課題】  光学式ピックアップから照射されるレーザー光によって光ディスクに可視画像を形成することが出来る光ディスク記録再生装置を提供する。【解決手段】  光ディスク記録再生装置に組み込まれている光学式ピックアップ２から出射されるレーザー光が入射される入射光面側から信号層及び画像記録層の２つの層が設けられている光ディスクを使用する光ディスク記録再生装置であり、前記信号層への信号の記録動作を行いながら画像記録層への画像記録動作を行うことが出来るように構成されている。【選択図】    図１
2005346886.tif 000002
【特許請求の範囲】
【請求項１】
光ディスク記録再生装置に組み込まれている光学式ピックアップから照射されるレーザー光が入射される入射光面側から信号層及び画像記録層の２つの層が設けられている光ディスクを使用する光ディスク記録再生装置であり、前記信号層への信号の記録動作を行いながら画像記録層への画像記録動作を行うようにしたことを特徴とする光ディスク記録再生装置。
【請求項２】
信号層への信号記録動作を行うレーザー光を出射する第１レーザーダイオードと画像記録層への画像記録動作を行うレーザー光を出射する第２レーザーダイオードが組み込まれた光学式ピックアップを使用するようにしたことを特徴とする請求項１に記載の光ディスク記録再生装置。
【請求項３】
第１レーザーダイオードから出射されるレーザー光が信号層に合焦された状態にあるとき、第２レーザーダイオードから出射されるレーザー光が画像記録層に合焦されるようにしたことを特徴とする請求項２に記載の光ディスク記録再生装置。
【請求項４】
第１レーザーダイオードから出射されるレーザー光のフォーカス制御動作を信号層からの反射光より得られるフォーカスエラー信号に基づいて行うようにしたことを特徴とする請求項３に記載の光ディスク記録再生装置。
【請求項５】
画像記録層が設けられている位置に信号層が設けられている光ディスクを使用するとき、該信号層に記録されている信号の記録又は再生動作を第２レーザーダイオードから出射されるレーザー光にて行うようにしたことを特徴とする請求項２に記載の光ディスク記録再生
【請求項６】
画像記録層を異なる色を発色する複数層とし、該画像記録層への画像記録動作をカラーにて行うようにしたことを特徴とする請求項１に記載の光ディスク記録再生装置。
【請求項７】
レーザー出力を変化させることによって発光色を選択制御するようにしたことを特徴とする請求項６に記載の光ディスク記録再生装置。
【請求項８】
画像記録層への画像記録動作を信号層から得られるアドレス情報に基づいて行うようにしたことを特徴とする請求項１に記載の光ディスク記録再生装置。
【発明の詳細な説明】
【技術分野】
【０００１】
本発明は、光学式ピックアップより照射されるレーザー光によってディスクに可視画像を形成することが出来る光ディスク記録再生装置に関する。
【背景技術】
【０００２】
光学式ピックアップを用いてディスクに記録されている信号の読み出し動作を行う光ディスク再生装置が普及しているが、最近では、再生機能に加えて光学式ピックアップより照射されるレーザー光によってディスクに信号を記録することが出来るように構成された光ディスク記録再生装置が商品化されている。
【０００３】
光ディスク記録再生装置において、ディスクに信号を記録した場合ディスクに記録した信号の内容を確認するためには、ディスクに記録された信号を再生する必要がある。そのため、使用者は、信号の記録動作が終了したとき、記録した内容、例えば音楽の場合には曲名が印刷されたラベル等をディスクにおける記録面の反対側の面に貼付したり、記録面の反対側の面にサインペン等によって曲名等を書き込むという動作を行っている。
【０００４】
ラベル等を貼付したり、曲名等を書き込む方法は、手間が掛かるだけでなくディスクに記録されている信号の再生動作に悪影響を与えることがあるという問題がある。斯かる問題を解決する方法としてレーザー光によって光ディスクの感光面に可視画像を形成する技術が開発されている(例えば、特許文献１参照。)。
【０００５】
また、可視画像をカラーにて形成することが出来るようにした技術も開発されている(例えば、特許文献２参照。)。
【特許文献１】特開２００３−２０３３４８号公報
【特許文献２】特開２００３−２７２２４０号公報
【発明の開示】
【発明が解決しようとする課題】
【０００６】
従来の技術では、データ信号が記録される信号面に可視画像を形成するようにしているため、データ信号の記録容量が多くなると可視画像を形成する領域が少なくなり、記録されたデータ信号の全てを表示することが出来なくなるという問題がある。また、光ディスクに対する可視画像の形成動作は、ディスクの信号記録面の反対側の面に対して行われるため、使用者は、ディスクへの記録動作が終了した後ディスクの表裏反対にするための操作をする必要があり、操作性が悪いという問題がある。
【０００７】
本発明は、斯かる問題を解決することが出来る光ディスク記録再生装置を提供しようとするものである。
【課題を解決するための手段】
【０００８】
本発明は、光ディスク記録再生装置に組み込まれている光学式ピックアップから照射されるレーザー光が入射される入射光面側から信号層及び画像記録層の２つの層が設けられている光ディスクを使用する光ディスク記録再生装置であり、前記信号層への信号の記録動作を行いながら画像記録層への画像記録動作を行うように構成されている。
【０００９】
また、本発明は、信号層への信号記録動作を行うレーザー光を出射する第１レーザーダ
イオードと画像記録層への画像記録動作を行うレーザー光を出射する第２レーザーダイオードが組み込まれた光学式ピックアップを使用するように構成されている。
【００１０】
そして、本発明は、第１レーザーダイオードから出射されるレーザー光が信号層に合焦された状態にあるとき、第２レーザーダイオードから出射されるレーザー光が画像記録層に合焦されるように構成されている。
【００１１】
また、本発明は、第１レーザーダイオードから出射されるレーザー光のフォーカス制御動作を信号層からの反射光より得られるフォーカスエラー信号に基づいて行うように構成されている。
【００１２】
更に、本発明は、画像記録層が設けられている位置に信号層が設けられている光ディスクを使用するとき、該信号層に記録されている信号の記録又は再生動作を第２レーザーダイオードから出射されるレーザー光にて行うように構成されている。
【００１３】
そして、本発明は、画像記録層を異なる色を発色する複数層とし、該画像記録層への画像記録動作をカラーにて行うように構成されている。
【００１４】
また、本発明は、レーザー出力を変化させることによって発光色を選択制御するように構成されている。
【００１５】
そして、本発明は、画像記録層への画像記録動作を信号層から得られるアドレス情報に基づいて行うように構成されている。
【発明の効果】
【００１６】
本発明は、信号層及び画像記録層の２つの層が設けられている光ディスクを使用し、前記信号層への信号の記録動作を行いながら画像記録層への画像記録動作を行うようにしたので、即ち信号の記録動作と画像記録動作とを併行して行うようにしたので、信号の記録動作を行った後に画像信号の記録動作を行う場合と比較して短時間に処理することが出来る。
【００１７】
また、本発明は、第１レーザーダイオードから出射されるレーザー光が信号層に合焦された状態にあるとき、第２レーザーダイオードから出射されるレーザー光が画像記録層に合焦されるようにしたので、即ち第１レーザーダイオードから出射されるレーザー光のフォーカス制御動作を行うことによって第２レーザーダイオードから出射されるレーザー光を画像記録層に合焦させるようにしたので、光学式ピックアップの構造を簡単にすることが出来るとともに光学式ピックアップの制御動作を簡単に行うことが出来る。
【００１８】
そして、本発明は、画像記録層が設けられている位置に信号層が設けられている光ディスクを使用するとき、該信号層に記録されている信号の記録又は再生動作を第２レーザーダイオードから出射されるレーザー光にて行うようにしたので、種々なディスクに対する記録再生動作を行うことが出来る。
【００１９】
また、本発明は、画像記録層を異なる色を発色する複数層とし、該画像記録層への画像記録動作をカラーにて行うようにしたので、種々な画像をディスクに記録することが出来る。
【発明を実施するための最良の形態】
【００２０】
本発明は、光学式ピックアップに組み込まれているレーザーダイオードから照射されるレーザー光によって可視画像を形成することが出来る光ディスク記録再生装置を提供する
ものである。
【実施例】
【００２１】
図１は本発明の光ディスク記録再生装置の一実施例を示すプロック回路図本発明に係る光ディスクの一実施例を示す断面図、図２は本発明に係る光ディスクの一実施例を示す断面図、図３は本発明に係る光ディスクの一実施例を示す断面図である。
【００２２】
図において、１は光ディスクであり、光学式ピックアップ２に組み込まれている第１レーザーダイオード３Ａ及び第２レーザーダイオード３Ｂから照射されるレーザー光が入射される入射光面側から透明な第１保護層１Ａ、信号層１Ｂ、透明な第２保護層１Ｃ及び画像記録層１Ｄが設けられている。光学式ピックアップ２に組み込まれている第１レーザーダイオード３Ａ及び第２レーザーダイオード３Ｂは、波長の異なる２つのレーザー光Ｌ１及びＬ２を照射するレーザーであり、レーザー光Ｌ１の波長の方がレーザー光Ｌ２の波長より短いとすると、対物レンズ４による集光作用によりレーザー光Ｌ１は図２に示すように信号層１Ｂに合焦され、レーザー光Ｌ２は画像記録層１Ｄに合焦される。
【００２３】
斯かる構成において、画像記録層１Ｄに照射されるレーザー光を波長の長いレーザー光Ｌ２にするとともにレーザー出力レベルの調整動作及び照射位置の調整動作を行うことによって画像記録層１Ｄに可視画像を形成することが出来る。
【００２４】
図１は前述した構成の光ディスクを使用する光ディスク記録再生装置を示すプロック回路図である。同図において、５は光ディスク１が載置されるターンテーブルであり、スピンドルモーター６によって回転駆動されるように構成されている。７は光学式ピックアップ２内に組み込まれている光検出器であり、光ディスク１の信号層１Ｂから反射されるレーザー光が照射されるとともに該信号を電気信号に変換する作用を有するものである。
【００２５】
８は光学式ピックアップ２に組み込まれているフォーカシングコイルであり、対物レンズ４を光ディスク１の信号面方向に変位させることによってレーザー光Ｌ１を信号層１Ｂに合焦させる作用を成すものである。９は光学式ピックアップ２に組み込まれているトラッキングコイルであり、対物レンズ４を光ディスク径方向に変位させることによってレーザー光Ｌ１を信号層１Ｂに形成されている信号トラックに追従させる作用を成すものである。
【００２６】
斯かる構成において、第１レーザーダイオード３Ａから出射されるレーザー光Ｌ１がフォーカシング制御動作によって信号層１Ｂに合焦された状態にあるとき、第２レーザーダイオード３Ｂから出射されるレーザー光Ｌ２は画像記録層１Ｄに合焦されるように光学式ピックアップの光学系は構成されている。
【００２７】
１０はピックアップ送り用モーターであり、送り用ネジ１１を回転駆動することによって光学式ピックアップ２の本体を光ディスク１の径方向へ移動させるように構成されている。１２は前記光検出器７によって電気信号に変換されたＲＦ(高周波)信号が入力されるとともに該信号を増幅するＲＦ信号増幅回路であり、波形整形するとともに２値化した信号やフォーカスエラー信号及びトラッキングエラー信号を生成して出力するように構成されている。
【００２８】
１３は前記ＲＦ信号増幅回路１２から出力されるフォーカスエラー信号及びトラッキングエラー信号に基いてフォーカス制御動作及びトラッキング制御動作を行うピックアップ制御回路であり、前記光学式ピックアップ２に組み込まれているフォーカシングコイル８及びトラッキングコイル９に駆動信号を供給するように構成されている。
【００２９】
１４は前記ＲＦ信号増幅回路１２から出力される2値化信号が入力されるデジタル信号処理回路であり、光ディスク１から読み出された信号をデジタル信号処理することによって必要なデータ信号を抽出するとともに各種のデータを復調するように構成されている。１５はホスト機器として接続されているコンピューター装置１６より出力される命令信号や記録信号であるデータ信号が入力されるとともに光ディスク記録再生装置の各種の動作を制御するシステム制御回路であり、データ信号を一時的に記憶するバッファ用メモリー(図示せず)が組み込まれている。
【００３０】
１７は前記コンピューター装置１６より出力されるデータ信号が入力されるとともに該データ信号に応じた記録信号を出力する第１信号記録用回路であり、データ信号を記録するためのパルス信号を出力するように構成されている。１８は前記コンピューター装置１６より出力される可視画像用のデータ信号が入力されるとともに該データ信号に応じた画像記録信号を出力する第２信号記録用回路であり、画像を記録するためのパルス信号を出力するように構成されている。
【００３１】
１９は前記第１信号記録用回路１７から出力されるパルス信号が入力される第１レーザーダイオード駆動回路であり、入力されるパルスに対応した駆動信号を前記光学式ピックアップ２に組み込まれている第１レーザーダイオード３Ａに供給するように構成されている。２０は前記第２信号記録用回路１８から出力されるパルス信号が入力される第２レーザーダイオード駆動回路であり、入力されるパルスに対応した駆動信号を前記光学式ピックアップ２に組み込まれている第２レーザーダイオード３Ｂに供給するように構成されている。
【００３２】
２１は前記システム制御回路１５によって動作が制御されるスピンドルモーター駆動回路であり、前記スピンドルモーター６を回転駆動制御するように構成されている。前記スピンドルモーター駆動回路２１によるスピンドルモーター６の回転駆動制御動作は、光ディスク１にデータ信号を記録する場合に、光ディスク１から読み出される同期信号を利用して光ディスク１を線速度一定にて回転駆動するように構成されている。２２はシステム制御回路１５によって動作が制御されるピックアップ送り用モーター駆動回路であり、前記ピックアップ送り用モーター１０を回転駆動するように構成されている。
【００３３】
斯かる構成において、第１レーザーダイオード駆動回路１９による第１レーザーダイオード３Ａの駆動動作及び第２レーザーダイオード駆動回路２０による第２レーザーダイオード３Ｂの駆動動作は、独立して行うことが出来るように構成されている。
【００３４】
以上に説明したように本発明に係る光ディスク記録再生装置は構成されているが、次に動作について説明する。光ディスク１に設けられている信号層１Ｂにコンピューター装置１６より送信されるデータ信号の記録動作を行う場合には、システム制御回路１５による記録動作を行うための制御動作が行われ、第１レーザーダイオード３Ａからレーザー光Ｌ１のレーザー光を出射させる駆動信号を第１レーザーダイオード駆動回路１９から出力させる状態にする動作が行われる。
【００３５】
斯かる状態にて記録動作は行われるが、このときピックアップ制御回路１３による制御動作によってレーザー光Ｌ１を信号層１Ｂに合焦させるフォーカス制御動作及び光ディスク１の信号層１Ｂに形成されているプリグルーブと呼ばれる溝に追従させるトラッキング制御動作が行われる。また、トラッキング制御動作に伴う光学式ピックアップ２本体の移動動作は、ピックアップ送り用モーター１０を回転駆動することによって行われる。そして、プリグルーブより得られるウォブル信号からの同期信号の抽出動作等はデジタル信号処理回路１４によって行われるが斯かる動作は周知であるのでその説明は省略する。
【００３６】
また、光ディスク１への信号の記録動作を行う場合には、第１レーザーダイオード３Ｂのレーザー出力が光ディスク１に設けられている信号層１Ｂへの信号の記録動作に適した値になるように設定され、その設定された出力のレーザー光を得るための駆動信号が第１レーザーダイオード駆動回路１９から第１レーザーダイオード３Ａに供給されるように構成されている。そして、ウォブル信号から抽出される同期信号を利用したスピンドルモーター駆動回路２１によるスピンドルモーター６の回転制御動作が行われる結果、光ディスク１は所望の線速度一定の状態にて回転駆動されることになる。
【００３７】
斯かる状態にて、コンピューター装置１６から出力される記録信号であるデータ信号は、システム制御回路１５に組み込まれているバッファ用メモリーに一時的に記憶された後読み出されて第１信号記録用回路１７に入力される。斯かる記録信号であるデータ信号が第１信号記録用回路１７に入力されると、該第１信号記録用回路１７によるデータ信号に対するエンコード処理が行われる。その結果、記録信号に応じて変換された信号がパルス信号として出力されることになる。
【００３８】
前記第１信号記録用回路１７から出力された記録信号に対応したパルス信号は、第１レーザーダイオード駆動回路１９に入力されるので、そのパルスに対応した駆動信号が第１レーザーダイオード３Ａに対して出力される。斯かる駆動信号が第１レーザーダイオード３Ａに供給されると、該第１レーザーダイオード３Ａからレーザー光Ｌ１が出射されるので信号層１Ｂに該レーザー光Ｌ１が照射されることになる。斯かる動作が行われる結果、光ディスク１に設けられている信号層１Ｂにデータ信号を記録することが出来る。
【００３９】
以上に説明したように信号層１Ｂへのデータ信号の記録動作は行われるが、次に画像記録層１Ｄへの可視画像の形成動作について説明する。
【００４０】
光ディスク１に設けられている画像記録層１Ｄに可視画像を形成する動作は、前述した信号層１Ｂへのデータ信号の記録動作を行っているときに行われる。前述した記録動作が行われているとき、コンピューター装置１６から画像データ及び該画像データを記録するための制御信号が出力されると、該画像データが第２信号記録用回路１８に入力されるとともに光ディスク１の画像記録層１Ｄ上の画像記録位置にレーザー光Ｌ２の照射位置が達すると、第２レーザーダイオード３Ｂからレーザー光Ｌ２のレーザー光を放射させるための駆動信号が第２レーザーダイオード駆動回路２０から出力される。
【００４１】
斯かる状態にて可視画像の光ディスク１の画像記録層への形成動作が行われるが、このときピックアップ制御回路１３による制御動作によってレーザー光Ｌ１を信号層１Ｂに合焦させるフォーカス制御動作が行われた状態にある。そして、レーザー光Ｌ１の信号層１Ｂへのフォーカス制御動作が行われて、該レーザー光Ｌ１が信号層１Ｂに合焦された状態にあるときには、レーザー光Ｌ２は画像記録層１Ｄに合焦される関係にあるため、該画像記録層１Ｄへの画像データの記録動作を行うことが出来る。また、可視画像を形成するための光学式ピックアップ２本体の移動動作は、ピックアップ送り用モーター１０を回転駆動することによって行われる。
【００４２】
また、光ディスク１の画像記録層１Ｄへの可視画像の形成動作を行う場合には、第２レーザーダイオード３Ｂから出射されるレーザー光の出力が光ディスク１の画像記録層１Ｄへの可視画像の形成動作に適した値になるように設定され、その設定された出力のレーザー光を得るための駆動信号が第２レーザーダイオード駆動回路２０から第１レーザーダイオード３Ｂに供給されるように構成されている。そして、斯かる場合におけるスピンドルモーター駆動回路２１によるスピンドルモーター６の回転制御動作は、線速度が一定になるように行われる。
【００４３】
斯かる状態にて、コンピューター装置１６より出力される可視画像のための可視画像データ信号は、システム制御回路１５に組み込まれているバッファ用メモリーに一時的に記憶された後読み出されて第２信号記録用回路１８に入力される。斯かる可視画像データ信号が第２信号記録用回路１８に入力されると、該第２信号記録用回路１８から可視画像を形成するための信号がパルス信号として出力されることになる。
【００４４】
前記第２信号記録用回路１８から出力された可視画像データ信号に対応したパルス信号は、第２レーザーダイオード駆動回路２０に入力されるので、そのパルスに対応した駆動信号が第２レーザーダイオード３Ｂに対して出力される。斯かる駆動信号が第２レーザーダイオード３Ｂに供給されると、該第２レーザーダイオード３Ｂからレーザー光Ｌ２が放射されるので画像記録層１Ｄに該レーザー光Ｌ２が照射されることになる。そして、斯かるレーザー光Ｌ２が照射される位置は、ピックアップ送り用モーター１０による光学式ピックアップ２の移動動作、対物レンズ４のトラッキングコイル９による変位動作、即ち信号層１Ｂに設けられているプリグルーブに対するトラッキング動作によって制御されることになる。
【００４５】
このようにして制御されるレーザー光Ｌ２の照射位置と照射のタイミングを制御することによって光ディスク１の画像記録層１Ｄに可視画像を形成することが出来るので、例えば信号層１Ｂに記録したデータ信号の内容を示す情報を可視画像として形成することが出来る。そして、このようにして形成された可視画像は、光ディスク１の入射光面側より目視出来るようにすることも反対側の面から目視することが出来るようにすることも出来る。勿論、目視する方向に合わせた可視画像データ信号を第２信号記録用回路１８から出力されるように構成する必要がある。
【００４６】
前述した可視画像を光ディスク１上に形成する技術としては、例えば特開２００２−２０３３２１号公報に記載されている技術があり、斯かる技術を利用することによって可視画像を記録するために設けられている画像記録層１Ｄに形成することが出来る。
【００４７】
画像を記録する層として設けられている画像記録層１Ｄの位置にデータ信号を記録することが出来る信号記録層が設けられている光ディスク、例えば、信号層１Ｂに記録される信号の規格と異なる規格の信号層を画像記録層１Ｄの位置に設ければ、該信号層に第２レーザーダイオード３Ｂから出射されるレーザー光Ｌ２によって信号を記録するようにすることが出来る。例えば、信号層１Ｂの記録規格は、ＤＶＤ規格とし、画像記録層１Ｄの位置に設けられる信号層の記録規格は、ＣＤ規格とすることが出来る。
【００４８】
また、信号層１Ｂは再生専用の信号層とし、画像記録層１Ｄにユーザーが自由に設定する画像を記録するようにすることも出来る。そして、信号層１Ｂをデータ信号の記録動作を繰り返し行うことが出来る記録層とし、画像記録層１Ｄを可視画像の形成動作を繰り返し行うことが出来る記録層にすることも出来る。
【００４９】
以上に説明した光ディスク１は、単色により可視画像を形成することが出来るディスクであるが、次に複数色により可視画像を形成することが出来るディスクについて図３を参照して説明する。
【００５０】
図３において、画像記録層１Ｄは、図示したように３層、即ち青色発色層Ｂ、緑色発色層Ｇ及び赤色発色層Ｒにて構成されている。斯かる場合、画像記録層１Ｄは、可視画像を形成する専用層となり、青色発色層Ｂ、緑色発色層Ｇ及び赤色発色層Ｒに対してレーザー光Ｌ２の出力を制御することによって色別の可視画像を形成することが出来る。また、発色させる層を複数組み合わせて制御することによって種々な色を合成して作ることが出来る。
【図面の簡単な説明】
【００５１】
【図１】本発明に係る光ディスク記録再生装置の一実施例を示すブロック回路図である。
【図２】本発明に係る光ディスクの一実施例を示す断面図である。
【図３】本発明に係る光ディスクの一実施例を示す断面図である。
【符号の説明】
【００５２】
１        光ディスク
１Ｂ      信号層
１Ｄ      画像記録層
２        光学式ピックアップ
３Ａ      第１レーザーダイオード
３Ｂ      第２レーザーダイオード
４        対物レンズ
６        スピンドルモーター
７        光検出器
８        フォーカシングコイル
９        トラッキングコイル
１０        ピックアップ送り用モーター
１２        ＲＦ信号増幅回路
１３        ピックアップ制御回路
１４        デジタル信号処理回路
１５        システム制御回路
１６        コンピューター装置
１７        第１信号記録用回路
１８        第２信号記録用回路
１９        第１レーザーダイオード駆動回路
２０        第２レーザーダイオード駆動回路
２１        スピンドルモーター駆動回路
２２        ピックアップ送り用モーター駆動回路
【図１】
2005346886.tif 000003
【図２】
2005346886.tif 000004
【図３】
2005346886.tif 000005